(57)【要約】【課題】薄型の折畳み式携帯電話機を提供する。【解決手段】表示器５を有する第１の筐体１とキー操作部６を有する第２の筐体２とを、ヒンジ部４を中心に回動自在に枢着すると共に、第１、第２の筐体１、２より肉厚の第３の筐体３を、ヒンジ部４を中心に第１、第２の筐体１、２に対し回動可能に枢着する。第３の筐体３を第１、第２の筐体１、２より肉厚に形成したことにより、第１、第２の筐体１、２に収納できない肉厚の電気部品を第３の筐体３に収納することができ、全体として薄型の携帯電話機を提供することができる。【選択図】　図１
2004064101.tif 000002
【特許請求の範囲】
【請求項１】
表示部を有する第１の筐体とキー操作部を有する第２の筐体とを、互いにヒンジ部を中心に折畳み可能に枢着すると共に、折畳んだ状態で前記第１、第２の筐体より長さの短い第３の筐体を前記ヒンジ部と略同軸に回動自在に枢着し、前記第３の筐体に電気部品を収納した携帯電話機。
【請求項２】
前記第３の筐体が、前記第１、第２の筐体より厚く、前記第１、第２の筐体の合計の厚さ以下の厚さであることを特徴とする請求項１記載の携帯電話機。
【請求項３】
前記第１、第２の筐体を、前記ヒンジ部を中心に開放したとき、前記第３の筐体が前記第２の筐体の背面側に突出し、前記第２の筐体を机上に載置した状態で脚部として作用するように構成した請求項１記載の携帯電話機。
【請求項４】
前記第１、第２の筐体に、前記第１、第２の筐体を、前記ヒンジ部を中心に開放したとき、前記第３の筐体にそれぞれ当接する当接部を形成し、前記第１、第２の筐体を、前記ヒンジ部を中心に開放したとき、前記当接部が前記第３の筐体にそれぞれ当接し、前記第３の筐体が前記第１、第２の筐体の背面側より突出するように構成した請求項１記載の携帯電話機。
【請求項５】
前記電気部品として、時刻、発呼者などを表示する副表示器、着信音鳴音用のスピーカ、内蔵アンテナの内、少なくとも１つを含むことを特徴とする請求項１乃至４のいずれか１記載の携帯電話機。
【請求項６】
前記電気部品として、前記第１、第２の筐体より厚さの厚い電気部品を含むことを特徴とする請求項１乃至４のいずれか１記載の携帯電話機。
【発明の詳細な説明】
【０００１】
【発明の属する技術分野】
本発明は、表示器を有する第１の筐体とキー操作部を有する第２の筐体とをヒンジ部を中心に折畳み可能に構成した折り畳み式の携帯電話機に関する。
【０００２】
【従来の技術】
一般に、折り畳み式の携帯端末機は、図５に示すように、表示器２５を有する第１の筐体２１に受話器を、キー操作部２６を有する第２の筐体２２に送話器をそれぞれ取り付け、これらの筐体２１、２２を、それぞれヒンジ部２４を中心に互いに回動可動に枢着している。したがって、この種の携帯電話機では、第１、第２の筐体２１、２２を、ヒンジ部２４を中心に互いに開いて受話器、送話器をそれぞれ耳、口に近づけて使用することが可能であり、非使用時には、第１、第２の筐体２１、２２を、ヒンジ部２４を中心に互いに折畳み、携帯に便利な状態にすることができるという利点を有する。
【０００３】
【発明が解決しようとする課題】
ところで、この種の携帯電話機では、多機能化の進展に伴い表示器２５はできるだけ大きい方が望ましく、また、キー操作部２６も操作性の観点から余り小さくすることができないため、全体として、第１、第２の筐体２１、２２を余り小さくすることができないという制約がある。また、この種の携帯電話機では、第１、第２の筐体２１、２２を、ヒンジ部２４を中心に閉じたとき、第１、第２の筐体２１、２２が互いに重なり合うため、全体としてその厚さが厚くなり、ポケットなどに入れたとき、ポケットなどが大きく膨らみ非常に見苦しくなるという問題があった。
【０００４】
本発明は、このような課題に鑑みてなされたものであり、薄型化を図ることが可能な携帯電話機を提供することを目的とするものである。
【０００５】
【課題を解決するための手段】
本発明の携帯電話機は、表示部を有する第１の筐体とキー操作部を有する第２の筐体とを、互いにヒンジ部を中心に折畳み可能に枢着すると共に、折畳んだ状態で前記第１、第２の筐体より長さの短い第３の筐体を前記ヒンジ部と略同軸に回動自在に枢着し、前記第３の筐体に電気部品を収納する構成とした。この構成により、第１、第２の筐体の薄型化を妨げるような大きな電気部品を第３の筐体に収納し、内装することができ、第１、第２の筐体を薄型化して、全体を薄型化することが可能になる。
【０００６】
また、本発明の携帯電話機は、第３の筐体を第１、第２の筐体より厚く、第１、第２の筐体の合計の厚さ以下の厚さに構成とした。この構成により、第１、第２の筐体を、ヒンジ部を中心に折畳んだ状態でも、全体の厚さが、第１、第２の筐体の合計の厚さを越えることがなく、第１、第２の筐体の薄型化と相俟って携帯に非常に便利であるという作用を有する。
【０００７】
また、本発明の携帯電話機は、第１、第２の筐体を、ヒンジ部を中心に開放したとき、第３の筐体が第２の筐体の背面側に突出し、第２の筐体を机上に載置した状態で脚部として作用する構成とした。この構成により、第１、第２の筐体を、ヒンジ部を中心に開放し、その状態で第２の筐体を机上に載置した場合、第３の筐体が脚部として作用し、第２の筐体が斜め前方向に傾いて机上に載置されることになり、着信音鳴音用、或いは、ハンズフリー用のそれぞれのスピーカを、第３の筐体に収納した場合は勿論のこと、第２の筐体の背面側に収納した場合でも、これらのスピーカからの音声が机によって塞がれ遮断されることが全くなく、使用者に効果的に到達することになり、また、キー操作も第２の筐体が斜め前方に傾いて載置されるため、その操作が非常にし易くなるという作用を有する。
【０００８】
また、本発明の携帯電話機は、第１、第２の筐体に、第１、第２の筐体を、ヒンジ部を中心に開放したとき、第３の筐体にそれぞれ当接する当接部を有し、第１、第２の筐体を、ヒンジ部を中心に開放したとき、第１、第２の筐体に形成した当接部が第３の筐体に当接し、第３の筐体が第１、第２の筐体の背面側より突出する構成とした。この構成により、第１、第２の筐体を、ヒンジ部を中心に開放したとき、第３の筐体が、自動的に第１、第２の筐体の背面側より突出することになり、したがって、いちいち第３の筐体を手で操作することなく、第３の筐体を第１、第２の筐体の背面側より容易に突出させることができる。
【０００９】
また、本発明の携帯電話機は、電気部品として、時刻、発呼者などを表示する副表示器、着信音鳴音用のスピーカ、内蔵アンテナの内、少なくとも１つを含む構成とした。この構成により、電気部品が副表示器の場合には、第１、第２の筐体を、ヒンジ部を中心に折畳んだ状態で、副表示器が第１、第２の筐体に邪魔されることなく露出することになり、副表示器で時刻、発呼者などを容易に確認することができ、また、電気部品がスピーカの場合は、第１、第２の筐体を互いに開いて机上に載置した状態でも、スピーカからの音声が机で遮断されることがなく使用者に正確に伝達されることになり、更に、電気部品が内蔵アンテナの場合には、内蔵アンテナが第１、第２の筐体に収納されている場合に比し人体より少しでも離れた位置に存在することになり、内蔵アンテナのアンテナ利得がそれだけ向上するという作用を有する。
【００１０】
また、本発明の携帯電話機は、電気部品として、第１、第２の筐体より厚さの厚い電気部品を含む構成とした。この構成により、第１、第２の筐体には厚さの薄い電気部品を収納し、厚さの厚い電気部品は第３の筐体に収納することができ、結果として、第１、第２の筐体をより薄型化することができ、全体として機器を薄型化することができるという作用を有する。
【００１１】
【発明の実施の形態】
以下、本発明の一実施の形態について図面を用いて説明する。
図１は、本発明の一実施の形態における携帯電話機の斜視図、図２は、同携帯電話機の断側面図、図３は、同携帯電話機を構成する第１、第２の筐体を、ヒンジ部を中心に折畳んだ状態の側面図、図４は、同携帯電話機を構成する第１、第２の筐体を、ヒンジ部を中心に開いた状態の側面図である。
【００１２】
本発明の一実施の形態における携帯電話機は、図１〜図４に示すように、前面に液晶表示器などの表示器５を有する第１の筐体１と、前面にテンキー、各種機能キーなどのキー操作部６を有する第２の筐体２と、第１、第２の筐体１、２より長さの短い第３の筐体３と、これらの第１、第２、第３の筐体１、２、３をそれぞれ回動可能に枢着するヒンジ部４とを備えている。
【００１３】
第１、第２の筐体１、２は、第１、第２の筐体１、２にそれぞれ一体的に形成された軸受部１ａ、２ａを軸４ａによって連結することにより互いに回動可能に枢着されており、また、第３の筐体３は、第１、第３の筐体１、３にそれぞれ一体的に形成された軸受部１ｂ、３ａを軸４ｂによって連結することにより互いに回動可能に枢着されている。そして、第３の筐体３は、第１、第２の筐体１、２を、ヒンジ部４を中心に開いた図１に示す状態で、第１、第２の筐体１、２の背面側（表示器５及びキー操作部６の露出する面と反対面側）に位置するように枢着されている。
【００１４】
第１、第２の筐体１、２には、ヒンジ部４より遠い側に、それぞれ、図２に示すように、受話器７、送話器８が内蔵されている。そして、受話器７、送話器８に対向する第１、第２の筐体１、２の前面（表示器５及びキー操作部６の露出する面）には、それぞれ受話器用の音孔９、送話器用の音孔１０が形成されている。また、第１、第２の筐体１、２には、それぞれ、表示器５、キー操作部６を含む各種電気部品を取り付けるための印刷配線板１１、１２が内蔵されており、これらの印刷配線板１１、１２は、図示していないが、軸受部４に内蔵されたフレキシブル基板を介して互いに電気的に接続されている。
【００１５】
また、第２の筐体２の背面側には、薄型の電池１３が着脱自在に装着されており、第３の筐体３には、第１の筐体側に、時刻や発呼者電話番号などを表示する副表示器１４、第２の筐体側に、着信音を発生したり、ハンズフリー通話を行ったりする場合に使用するスピーカ１５がそれぞれ内蔵されている。そして、スピーカ１５に対向する第３の筐体３の側面には、スピーカ１５からの音声を外部に放出する放音用の音孔１６が形成されている。
【００１６】
第３の筐体３は、前述したように、第１、第２の筐体１、２より極端に短く形成されており、図３に示すように、その厚さｅが、第１の筐体の厚さをａ、第２の筐体２の厚さをｂ、第１、第２の筐体１、２を、ヒンジ部４を中心に折畳んだ状態で、第１、第２の筐体１、２間にできる隙間をｃとしたとき、ａ、ｂ、ｃの合計ｄがｅ以上の厚さであり、且つｅがａ、ｂそれぞれの厚さよりも厚くなるように構成している。
【００１７】
また、第３の筐体３は、前述したように、第１の筐体１に対して軸４ｂを中心に回動自在に枢着されており、第１の筐体１は、第２の筐体２に対して軸４ａを中心に回動自在に枢着されている。そして、第１の筐体１は、第２の筐体２に対し、予め定めた開放角度（例えば、９０度、１００度、１１０度などの任意の開放角度）で節度（クリック）をもって回動するように枢着され、第３の筐体３は、第１の筐体１に対し、予め定めた一定の摩擦力をもって回動するように枢着されている。
【００１８】
また、第２の筐体２には、図４に示すように、第３の筐体３がある一定の回動角度（例えば、第２、第３の筐体２、３がなす角度が９０度、１００度、１２０度などの任意の角度）以上回動しないようにするためのストッパー１７が形成されている。
【００１９】
次に、本実施の形態について、その動作を説明する。
先ず、第１、第２の筐体１、２を、ヒンジ部４を中心に閉じた状態では、図３に示す状態にある。この場合、勿論、第３の筐体３は、第１の筐体１に対して予め定めた一定の摩擦力をもって回動可能であり、第３の筐体３に手で回動力を与えれば、第３の筐体３は、ヒンジ部４を中心に任意に回動し、その位置で停止する。したがって、第１、第２の筐体１、２を、ヒンジ部４を中心に閉じた状態では、第３の筐体３が、必ずしも、図３に示す位置にあるとは限らないが、ここでは、図３に示す位置にあるものとして説明する。
【００２０】
今、図３に示すように、第１、第２の筐体１、２が互いに折畳まれた状態から、第１の筐体１を第２の筐体２に対しヒンジ部４を中心に開く方向に回動したとする。第１の筐体１を第２の筐体２に対しヒンジ部４を中心に開く方向に回動すると、この回動に伴って、第３の筐体３も第１の筐体１と同様に一体的にヒンジ部４を中心に開く方向に回動する。そして、第１の筐体１を予め定めた一定角度まで開放すると、第３の筐体３がストッパー１７に当接し、第３の筐体３は、もはやそれ以上回動しなくなる。すなわち、この状態で、更に、第１の筐体１を第２の筐体２に対し開く方向に回動しても、第３の筐体３はそれ以上回動せず、第１の筐体１のみが第２の筐体２に対し開く方向に回動することになる。
【００２１】
そして、第１の筐体１を第２の筐体２に対して、予め定めた一定の開放角度まで開放すると、この段階で、第１の筐体１の回動に節度が与えられ、ここで第１の筐体１が一旦回動を阻止され、図２に示すように、第２の筐体２を机上に載置して使用するのに最適な状態になる。すなわち、この状態では、第３の筐体３が第２の筐体２を机上に載置して使用する場合の脚部として作用し、第１の筐体１は第２の筐体２に対し予め定めた一定の開放角度まで開放された安定した状態を維持することになる。
【００２２】
そして、この状態で、更に第１の筐体１を第２の筐体２に対し開く方向に回動すれば、図４に示すように、第１の筐体１のみ、第２の筐体２に対し開く方向に目一杯開放されることになり、第２の筐体２を手に持って、第１、第２の筐体１、２に形成した受話器用、送話器用のそれぞれの音孔９、１０を耳、口に近づけ、通話するのに最適な状態にすることができる。
【００２３】
なお、第１の筐体１を、図２、図４に示す状態からそれぞれ閉じる方向に回動した場合、第３の筐体３が、第１の筐体１と同様、閉じる方向に回動するため、第１の筐体１を第２の筐体２に対して完全に閉じた状態で、第３の筐体３が第２の筐体２に対して一直線上に来ないことになるが、この場合、第３の筐体３が第２の筐体２に対してほぼ一直線状になったとき、それ以上閉じる方向に回動するのを阻止するストッパーを設ければ、図３に示すように、第１の筐体１を第２の筐体２に対し完全に閉じた状態で、第３の筐体３を第１、第２の筐体１、２と一直線状になるようにすることができる。
【００２４】
また、第３の筐体３内には内蔵アンテナを設けても良い。この構成の場合は、内蔵アンテナが第１、第２の筐体に収納されている場合に比し人体より少しでも離れた位置に存在することになり、内蔵アンテナのアンテナ利得がそれだけ向上する。
【００２５】
このように、本実施の形態によれば、第１の筐体１を第２の筐体２に対して回動自在に枢着すると共に、第３の筐体３を第１の筐体に対し回動自在に枢着しており、従って、第１、第２の筐体１、２を互いに開放した状態で、第３の筐体３を机上に載置して使用する場合の脚部として使用することができ、第１、第２の筐体１、２を適度に傾斜して最適な状態で任意に使用することができる。そして、この場合、第３の筐体３は、図２に示すように、第２の筐体２との間で鈍角をなして脚部として作用するように構成されており、したがって、第２の筐体２が相当軽量化された場合でも、第１の筐体１の重みで後方に転倒したり、ぐらついたりしたりすることがなく、安定した状態を維持することができるという作用を有する。
【００２６】
そして、第３の筐体は、第１、第２の筐体１、２を互いに閉じた状態で、第１、第２の筐体１、２に対しほぼ一直線状にもち来すことができるため、第１、第２の筐体１、２を互いに閉じてポケットなどに収納し携帯する場合でも、第３の筐体３が邪魔になることがなく、携帯にも非常に便利であるという作用を有する。
【００２７】
また、本実施の形態によれば、第３の筐体３を、第１、第２の筐体１、２より厚く形成しており、したがって、第３の筐体３には、第１、第２の筐体１、２には収納できない肉厚の電気部品を収納することが可能であり、第１、第２の筐体１、２を厚くすることなく、携帯電話機全体を薄型化できるという作用を有する。
【００２８】
また、本実施の形態によれば、第３の筐体３に、時刻や発呼者電話番号などを表示する副表示器１４を設けており、この副表示器１４は、第１、第２の筐体１、２を互いに閉じた状態で第１、第２の筐体１、２に関係なく、前面より目視することができ、時刻や、着信時に送信される発呼者電話番号などを容易に確認することができる。
【００２９】
また、本実施の形態によれば、第３の筐体３に、着信音を発生したり、ハンズフリー通話の際に使用したりするスピーカ１５を設けており、したがって、このスピーカ１５のための背面空間を比較的大きくとって、スピーカ１５の音響特性を充分確保することができるという作用を有する。一般に、スピーカ１５の音響特性を充分確保するためには、スピーカ１５の背面に設ける背面空間が充分大きいことが要求される。ところが、近年、筐体の薄型化が進展して充分な背面空間を得ることができない状況にある。しかるに、本実施の形態によれば、第３の筐体３を第１、第２の筐体１、２の合計の厚さまで厚くすることが可能であり、スピーカ１５の背面空間を充分とって音響特性を充分確保することができる。
【００３０】
そして、本実施の形態によれば、机上に載置して使用する場合、第３の筐体３を脚部として使用することができ、この状態ではスピーカ１５の前面が机などで塞がれるということが全くなく、したがって、スピーカ１５からの音声を効率よく前方に放出することができる。
【００３１】
【発明の効果】
以上説明したように、発明によれば、第１、第２の筐体に加え、第１、第２の筐体より厚い第３の筐体を第１、第２の筐体と共にヒンジ部を中心に回動自在に枢着しており、第１、第２の筐体を極力薄く形成しても、第１、第２の筐体に収納し難い電気部品を第３の筐体に収納することができ、携帯電話機全体を極力薄型化することが可能であるという利点を有する。
【図面の簡単な説明】
【図１】本発明の一実施の形態における携帯電話機の斜視図
【図２】同携帯電話機の断側面図
【図３】同携帯電話機の第１、第２の筐体を互いに閉じた状態の側面図
【図４】同携帯電話機の第１、第２の筐体を互いに開いた状態の側面図
【図５】従来の携帯電話機の斜視図
【符号の説明】
１ａ、２ａ、３ａ、１ｂ、２ｂ　軸受部
４ａ、４ｂ　軸
１　第１の筐体
２　第２の筐体
３　第３の筐体
４、２４　ヒンジ部
５、２５　表示器
６、２６　キー操作部
７　受話器
８　送話器
９、１０、１６　音孔
１１、１２　印刷配線板
１３　電池
１４　副表示器
１５　スピーカ
１７　ストッパー
２１、２２　筐体
【図１】
2004064101.tif 000003
【図２】
2004064101.tif 000004
【図３】
2004064101.tif 000005
【図４】
2004064101.tif 000006
【図５】
2004064101.tif 000007